(57)【要約】【課題】運転オフ後わざわざリモコンスイッチ収納部に収納しないと電源を遮断することができないので、収納を忘れると電源が遮断できなかった。【解決手段】遠隔制御装置からスケジュール設定手段を使用し、機器のパワーリレーの開閉をスケジュール設定することができ、遠隔から空気調和機を使用しない時間や時期に、機器の電源を遮断することができ、無駄な待機電力を無くすことができる空気調和機の遠隔制御装置を提供することができる。【選択図】図１
2009186131.tif 000002
【特許請求の範囲】
【請求項１】
室外機及び複数の室内機を遠隔で制御する遠隔制御装置と、前記遠隔制御装置から前記室外機と室内機内に設けられたパワーリレーの開閉をスケジュール設定し、前記遠隔制御装置でスケジュール管理することができるスケジュール設定手段と、前記遠隔制御装置から前記室外機と室内機を制御し開閉信号を送受信する制御手段とを備え、遠隔制御装置のスケジュール設定手段から、前記室外機と室内機のパワーリレーの開閉をスケジュール設定し、遠隔制御装置の制御手段が、前記室外機と室内機の制御手段に開閉信号を送信し、機器のパワーリレーを開閉することを特徴とする空気調和機の遠隔制御装置。
【請求項２】
遠隔制御装置に、スケジュール設定をした時にスケジュールの状態を表示する表示手段を備えたことを特徴とする請求項１に記載の空気調和機の遠隔制御装置。
【発明の詳細な説明】
【技術分野】
【０００１】
本発明は、空気調和機の電源を開閉する遠隔制御装置に関する。
【背景技術】
【０００２】
従来、空気調和機の電源を停止させる機能を有する空気調和機には、室内ユニットにリモコンスイッチを収納するスイッチ収容部があり、スイッチ収容部内には、電源スイッチが設けられており、エアコンの運転を停止している状態でリモコンスイッチをスイッチ収容部内へ収納することにより、リモコンスイッチが電源スイッチに当接して接点を開放し、電源を遮断していた。（例えば、特許文献１参照）
図３は、特許文献１に記載された従来の設置状態を示すものである。図３に示すように、エアコン１００、室内ユニット１０１、ケーシング１０２、吹出し口１０３、上下フラップ１０４、受光部１０５、スイッチ収納部１０６、リモコンスイッチ１０７とから構成されている。
【特許文献１】特開２０００−７４４６２号公報
【発明の開示】
【発明が解決しようとする課題】
【０００３】
しかしながら、前記従来の構成では、運転オフ後わざわざリモコンスイッチ収納部に収納しないと電源を遮断することができないので、収納を忘れると電源が遮断できないという課題を有していた。
【０００４】
本発明は、前記従来の課題を解決するもので、複数の室内機と室外機のシステムで遠隔から制御する場合、遠隔から空気調和機を管理するビル管理者が電源をスケジュール管理することができ、無駄な待機電力を無くすことを考慮した、空気調和機の遠隔制御装置を提供することを目的とする。
【課題を解決するための手段】
【０００５】
前記従来の課題を解決するために、本発明の空気調和機の遠隔制御装置は、遠隔制御装置内に設けられたスケジュール設定手段を使用し、機器のパワーリレーの開閉をスケジュール設定することができる。
【０００６】
これによって、遠隔制御を行うビル管理者が機器の無駄な待機電力を無くすことができる。
【発明の効果】
【０００７】
本発明の空気調和機の遠隔制御装置は、複数の室内機と室外機のシステムで遠隔から制御する場合、遠隔から空気調和機を管理するビル管理者が遠隔制御装置から電源をスケジュール管理し、空気調和機を使用しない時間や時期に、機器の電源を遮断することができるので、無駄な待機電力を無くすことができる。
【発明を実施するための最良の形態】
【０００８】
第１の発明は、室外機及び複数の室内機を遠隔で制御する遠隔制御装置と、遠隔制御装置から、空気調和機内に設けられたパワーリレーの開閉をスケジュール設定し遠隔管理することができるスケジュール設定手段と、遠隔制御装置から室外機と複数の室内機を制御し開閉信号を送受信する制御部とから構成される空気調和機の遠隔制御装置とすることにより、遠隔から空気調和機を管理するビル管理者が遠隔制御装置から電源をスケジュール管理し、空気調和機を使用しない時間や時期に、機器の電源を遮断することができるので
、無駄な待機電力を無くすことができる。
【０００９】
第２の発明は、特に第１の発明の遠隔制御装置に、スケジュール設定した時のスケジュール状態を表示する表示手段を備えたことにより、管理者がスケジュール設定された状態を把握することができる。
【００１０】
（実施の形態１）
図１は、本発明の実施の形態１における空気調和機の構成ブロック図である。同図の空気調和機の遠隔制御装置のシステムにおいて、室外機と複数の室内機を遠隔で制御する遠隔制御装置と、遠隔制御装置から前記室外機と室内機内に設けられたパワーリレーの開閉をスケジュール設定し、遠隔制御装置から管理することができるスケジュール設定手段と、遠隔制御装置から前記室外機と室内機と制御し、開閉信号を送受信する制御手段と、遠隔制御装置と室内機と室外機とを接続する通信線とから構成されている。尚、本実施の形態ではワイヤードリモコンで説明するが、ワイヤレスリモコンでも同じ動作であり、その場合には通信線はない。
【００１１】
以上のように構成された空気調和機の遠隔制御装置ついて、以下その動作、作用を説明する。
【００１２】
まず、遠隔制御装置１内に搭載されたスケジュール設定手段２を制御部３に入力することで、制御部３が室外機７、室内機８ａ、室内機８ｂの制御部４に通信線５を介して開閉信号を送信し、パワーリレー６を開閉する。
【００１３】
以上のように、遠隔制御装置１内に搭載されたスケジュール設定手段２で、機器のパワーリレーの開閉をスケジュール設定することで、遠隔から空気調和機を使用しない時間や時期に、機器の電源を遮断することができ、無駄な待機電力を無くすことができるものである。
【００１４】
（実施の形態２）
図２は、本発明の第２の実施の形態の空気調和機の構成ブロック図である。本発明の第１の実施の形態で示した空気調和機の遠隔制御装置１に表示手段９を構成した空気調和機の遠隔制御装置である。
【００１５】
以上のように構成された空気調和機の遠隔制御装置について、以下その動作、作用を説明する。
【００１６】
まず、スケジュール設定手段２を制御部３に入力する際に、制御部３がスケジュール管理の状態を表示手段９により表示することができる。
【００１７】
以上のように表示手段９を備えたことにより、遠隔から空気調和機を管理するビル管理者がスケジュール管理した状態を把握することができるものである。
【産業上の利用可能性】
【００１８】
以上のように、本発明は、室外機と複数の室内機のシステムで遠隔から制御する場合、遠隔から空気調和機を管理するビル管理者が遠隔制御装置から電源をスケジュール管理することができるので、遠隔制御機器を用いたマルチ型エアコンのシステムに適する。
【図面の簡単な説明】
【００１９】
【図１】本発明の実施の形態１における空気調和機の構成ブロック図
【図２】本発明の実施の形態２における空気調和機の構成ブロック図
【図３】従来の空気調和機における概略斜視図
【符号の説明】
【００２０】
１  遠隔制御装置
２  スケジュール設定手段
３  制御部
４  制御部
５  通信線
６  パワーリレー
７  室外機
８  室内機ａ
８  室内機ｂ
９  表示手段
１００  エアコン
１０１  室内ユニット
１０２  ケーシング
１０３  吹出し口
１０４  上下フラップ
１０５  受光部
１０６  スイッチ収納部
１０７  リモコンスイッチ
【図１】
2009186131.tif 000003
【図２】
2009186131.tif 000004
【図３】
2009186131.tif 000005